(57)【特許請求の範囲】
【請求項１】
下顎模型を支持するための下顎フレームと、
上顎模型を支持するための上顎フレームと、
前記上顎フレームに移動可能に取り付けられたフェイスボウと、
前記フェイスボウに上下方向に移動可動に取り付けられた棒状体と、
前記棒状体に移動可能に取り付けられる上顎クラッチと、
前記上顎クラッチの支持部に着脱可能に取り付けられる口角基準アームと、
を少なくとも備え、
前記棒状体は、上下位置目盛を備え、
前記口角基準アームは、後方端部において、後方へ移動可能に延出する第１の延出部材と、後方左右斜め方向へ移動可能に延出する第２及び第３の延出部材と、を備え、
前記第１、第２及び第３の延出部材は、後方端部に印記手段を備えてなる、歯科用咬合器。
【請求項２】
前記フェイスボウはポインタを備えており、該ポインタが、該フェイスボウに対してスライド及び回転することによって、ポインタの先端部の位置を水平方向に自在に調節でき、
かつ、当該ポインタにはスライド位置目盛が設けられ、前記フェイスボウには回転位置目盛が設けられている、請求項１記載の歯科用咬合器。
【請求項３】
請求項１または請求項２記載の歯科用咬合器に用いられる前記口角基準アームであって、前記上顎クラッチの支持部に着脱可能である、口角基準アーム。
【発明の詳細な説明】
【技術分野】
【０００１】
本発明は、歯科用咬合器に関し、特に、歯牙を製作するための情報を模型上に正確に印記することができる歯科用咬合器及び口角基準アームに関するものである。
【背景技術】
【０００２】
歯科用咬合器は、患者の顎の形態の特徴に応じて咬合位置不整が生じないように、顎の動きを再現しながら調整して義歯等を製作する装置である。歯科用咬合器は、下顎模型が取り付けられる下顎フレームと、上顎模型が取り付けられる上顎フレームを備える。下顎フレームの後方端部に設けられた脚部には、開閉機構（生体の顎関節部に相当する）を介して、上顎フレームが取り付けられる。
【０００３】
開閉機構は、下顎フレームの脚部に互いに対向して設けられた一対の顆頭球（生体の下顎頭に相当する）と、上顎フレームに設けられた顆頭球の案内路（生体の下顎窩に相当する）とによって構成されている。上顎フレームは、左右の顆頭球の中心を結ぶ線分を回転軸として開閉運動を行なう。前記顆頭球の案内路は、上顎フレームの後方端部にあり、上顎フレームの上面で規定される基準面に対し下方に向かって矢状顆路傾斜角だけ傾斜した上壁と、後方端部側の後壁とから形成される。顆頭球は、上壁によって顆頭球案内路内を誘導される。
また、脚部を介して顆頭球の反対側には、後方基準軸が設けられており、この後方基準軸にフェイスボウが取り付け可能となっている。
【発明の開示】
【発明が解決しようとする課題】
【０００４】
フェイスボウによって、顎口腔内の情報を咬合器に再現した後、技工士へ情報を提供する際においては、歯牙の歪み、長さ幅径を、患者の口腔内で正確に再現できるように情報を提供する必要がある。
例えば、ツルーバイト社は、顔に装着して顔面の長さ幅径、上顎前歯部の形態、下顎前歯部の形態を識別表示できるツールを提供している。又は、発音法（パウンド法）を利用して、無歯顎患者の歯牙配列を下の前歯から口腔内で決定していく手法等が知られている。
【０００５】
しかしながら、従来のフェイスボウでは、眼耳平面、鼻柱、正中線、上唇小帯、ドライウェット・ライン、口角等の歯牙を製作するための情報を模型上に印記（マーク）することができなかった。このため、咬合器から歯牙を製作する際、前歯の審美感を技工士に伝えることが困難であった。また、歯科医から技工士に歯牙を製作するための情報を正確に伝達することが容易ではないため、歯科医と技工士とが一緒に患者に立会いながら作業を進める必要があった。
【０００６】
そこで、本発明は、歯牙を製作するための情報を模型上に正確に印記することができる歯科用咬合器及び口角基準アームを提供することを目的とするものである。
【課題を解決するための手段】
【０００７】
本発明の歯科用咬合器は、下顎模型を支持するための下顎フレームと、上顎模型を支持するための上顎フレームと、前記上顎フレームに移動可能に取り付けられたフェイスボウと、前記フェイスボウに上下方向に移動可動に取り付けられた棒状体と、前記棒状体に移動可能に取り付けられる上顎クラッチと、前記上顎クラッチの支持部に着脱可能に取り付けられる口角基準アームであって、その延出する後方端部に印記手段を備えた口角基準アームと、を少なくとも備えたことを特徴とする。
【０００８】
前記棒状体は、上下位置目盛を備え、前記口角基準アームは、後方端部において、後方へ移動可能に延出する第１の延出部材と、後方左右斜め方向へ移動可能に延出する第２、第３の延出部材と、を備え、前記延出部材は、後方端部に印記手段を備えてなることが好ましい。
【０００９】
前記フェイスボウはポインタを備えており、該ポインタが、フェイスボウに対してスライド及び回転することによって、ポインタの先端部の位置を水平方向に自在に調節でき、かつ、当該ポインタにはスライド位置目盛が設けられ、前記フェイスボウには回転位置目盛が設けられていることが好ましい。
【００１０】
本発明の口角基準アームは、上記歯科用咬合器に用いられる前記口角基準アームであって、前記上顎クラッチの支持部に着脱可能であるものである。
【発明の効果】
【００１１】
本発明の歯科用咬合器ないし口角基準アームを用いれば、眼耳平面、鼻柱、正中線、上唇小帯、ドライウェット・ライン、口角等、及び上顎前歯部の長さ、幅径、犬歯までの位置、並びに歯牙を製作するための情報を模型上に正確に印記することができる。
すなわち、口角基準アームが上顎クラッチの支持部に着脱可能に取り付けられ、その延出する後方端部に印記手段を備え、所定の情報を模型に印記することができるので、歪み、平面のずれ、左右のバランスと大きさ、歯の長さ等の情報を正確に記録・再現することが可能となる。
【発明を実施するための最良の形態】
【００１２】
以下、本発明の実施の形態を、図面を参照しながら説明するが、本発明はこれらに限定されるものではない。
図１は、実施形態に係る歯科用咬合器１０の全体斜視図であり、図２は、上顎クラッチ８１の支持部であるジョイント８８と口角基準アーム１０２との関係を説明する図であり、図３は口角基準アーム１０２を上方から見た一部透視図である。
【００１３】
図１に示すように、歯科用咬合器１０は、下顎フレーム２０と、開閉機構を介して下顎フレーム２０に取り付けられる上顎フレーム３０と、フェイスボウ９１と、を備えている。
下顎フレーム２０の後方端部には一対の脚部２１が備えられ、この脚部２１には顆頭球２２が互いに対向して設けられている。上顎フレーム３０の後方端部には顆頭球２２の案内路が形成されており、顆頭球２２はこの案内路内を誘導される。
【００１４】
下顎フレーム２０は、スクリュー２３、２４、２５により３点支持されており、各スクリューをそれぞれ回して上下移動させることにより、歯科用咬合器１０の基準面を自在に調節することができる。
このようにスクリューによる３点支持とし、スクリュー２３、２４、２５を上下移動させて、各支持点における高さを調節することにより、歯科用咬合器１０の基準面を変化させて、上顎模型の歯列の平面の傾きを補正することができる。
【００１５】
上顎フレーム３０は部材９３を回転可能に備えており、この部材９３をねじ９４によって回転させてフェイスボウ９１の上に載せることができるようになっている。
【００１６】
下顎フレーム２０には、脚部２１を介して顆頭球２２の反対側に後方基準軸７６が設けられており、この後方基準軸７６にアーム状のフェイスボウ９１が取り付けられており、フェイスボウ９１が下顎フレーム２０に移動可能に取り付けられている。
【００１７】
フェイスボウ９１はポインタ５６を備えており、ポインタ５６はフェイスボウ９１に対してスライド及び回転することができ、ポインタ５６の先端部３３の位置を水平方向に自在に調節することができるようになっている。ポインタ５６にはスライド位置目盛３１が設けられ、フェイスボウ９１には回転位置目盛３２が設けられている。この目盛３１、３２によってスライド量及び回転量を調節しながら、ポインタ５６の先端部３３を皮膚に触れさせながら水平に移動させ、ねじ５７で固定することによって、前方基準点の位置を正確かつ容易に調整することができる。
【００１８】
フェイスボウ９１の前方側には、棒状体５１が上下に移動可能に取り付けられている。棒状体５１には、上下位置目盛５９が設けられており、この上下位置目盛５９によって移動量を調節しながら、棒状体５１をフェイスボウ９１に対して上下方向に相対的に移動させ、ねじ５２で固定することができる。
棒状体５１には、上顎クラッチ８１がジョイント８７、８８を介して固定されている。ジョイント８８は、棒状体５１に固定され、上顎クラッチ８１側のジョイント８７と、棒状体５１側のジョイント８８を結合させ、ねじ８９を締めることにより、上顎クラッチ８１が棒状体５１に固定される。棒状体５１がフェイスボウ９１に対して上下方向に相対的に移動することによって、上顎クラッチ８１の位置を上下方向に調節することができる。
【００１９】
図１及び図２に示すように、上顎クラッチ８１には、バイトフォーク８３を着脱可能に取り付けることができる。バイトフォーク８３は、これに着脱可能な支持部を有しており、この支持部を取り外した後、バイトフォーク８３を上顎クラッチ８１に取り付ける。バイトフォーク８３には、周知の水準器が備えられていてもよい。
【００２０】
図２に示すように、上顎クラッチ８１の支持部であるジョイント８８には、口角基準アーム１０２が着脱可能に取り付けられる。口角基準アーム１０２をジョイント８８に取り付け、ジョイント８８に設けられた穴２８９へ、口角基準アーム１０２に設けられた穴１８９を介してねじ８９を締めることにより、口角基準アーム１０２がジョイント８８に固定される。
【００２１】
口角基準アーム１０２は、ジョイント８８への取り付け部位から後方へ延出し、その後方端部に印記手段であるインク部１２１、１３１、１４１を備えている。
具体的には、図３に示すように、口角基準アーム１０２は、後方端部において、後方へ移動可能に延出する延出部材１４２、１４３と、後方左右斜め方向へ移動可能に延出する延出部材１２２、１２３、１３２、１３３と、を備える。
【００２２】
延出部材１４３には目盛１４６が設けられており、この目盛１４６によって前後の移動量を調節しながら、延出部材１４２を延出部材１４３に対してスライドさせて後方へ延出させることができる。
延出部材１４２の後方端部はインク部１４１を備えており、模型に正中線等を印記することができる。具体的には、上の前歯模型の場合、インク部１４１が、正中線又は中切歯の切端部に相当する部位に配置されるように調整する。
また、図３に示すように、延出部材１４３及び１４２の端部は、ボールジョイントによって口角基準アーム１０２に上下方向に回転可能に収容されており、口角基準アーム１０２に設けられた上下回転位置目盛１５０により移動量を調節しながら回転させることにより、インク部１４１を上下方向に移動させることができる。
【００２３】
延出部材１２３には目盛１２６が設けられており、この目盛１２６によって移動量を調節しながら、延出部材１２２を延出部材１２３に対してスライドさせて後方右斜め方向へ延出させることができる。
延出部材１２２の後方端部はインク部１２１を備えており、模型に口角の位置等を印記することができる。具体的には、上の前歯模型の場合、インク部１２１が、口角又は犬歯に相当する部位に配置されるように調整する。
また、図３に示すように、延出部材１２３及び１２２の端部は、ボールジョイントによって口角基準アーム１０２に上下方向及び水平方向に回転可能に収容されており、口角基準アーム１０２に設けられた水平回転位置目盛１２４及び上下回転位置目盛（図示は省略）により移動量を調節しながら回転させることにより、インク部１２１を水平及び上下方向に移動させることができる。
【００２４】
延出部材１３３には目盛１３６が設けられており、この目盛１３６によって移動量を調節しながら、延出部材１３２を延出部材１３３に対してスライドさせて後方左斜め方向へ延出させることができる。
延出部材１３２の後方端部はインク部１３１を備えており、模型に口角の位置等を印記することができる。具体的には、上の前歯模型の場合、インク１３１が、口角又は犬歯に相当する部位に配置されるように調整する。
また、図３に示すように、延出部材１３３及び１３２の端部は、ボールジョイントによって口角基準アーム１０２に上下方向及び水平方向に回転可能に収容されており、口角基準アーム１０２に設けられた水平回転位置目盛１３４及び上下回転位置目盛（図示は省略）により移動量を調節しながら回転させることにより、インク部１３１を水平及び上下方向に移動させることができる。
【００２５】
なお、前記各目盛は１ｍｍ間隔で目盛が付されていることが好ましく、前記各回転位置目盛は１度毎に目盛が付されていることが好ましい。
【００２６】
まず、図４に示すように、上顎クラッチ８１で上顎歯列の位置関係を決定する。この際、上口唇がジョイント８７の端部上面によって持ち上がるようにする。上下位置目盛５９によって移動量を調節しながら、上顎クラッチ８１をフェイスボウ９１に対して上下に移動させ、ねじ５２で固定することによって、正確かつ簡易に上顎クラッチ８１の上下位置を調整する。また、前後位置目盛４１によって移動量を調節しながら、上顎クラッチ８１の前後位置を調整する。
【００２７】
その後、図７に示すように、上顎クラッチ８１（及びこれと一体となったジョイント８７）を外して、口角基準アーム１０２をねじ８９を締めることによりジョイント８８に装着する。そして、図５に示すように、延出部材１２１、１３１が口角の位置にそれぞれくるように調整する。なお、図６に示すように、口角の位置は、前方から見た場合に犬歯の側端部の位置に一般的に一致する。
上下位置目盛５９によって移動量を調節しながら、口角基準アーム１０２をフェイスボウ９１に対して上下に移動させ、ねじ５２で固定することによって、正確かつ簡易に口角基準アーム１０２の上下位置を調整する。
また、目盛１２６、１３６、１４６によって移動量を調節しながら、延出部材１２２、１３２、１４２を延出部材１２３、１３３、１４３に対してそれぞれスライドさせ、また、回転位置目盛１２４、１３４、１５０によって移動量を調節しながら、延出部材１２２・１２３並びに１３２、１３３を口角基準アーム１０２に対してそれぞれ回転させて、インク部１２１、１３１、１４１の位置を調節して決定し、模型へ印記する。
【００２８】
インク部１２１、１３１、１４１は、延出部材１２２、１３２、１４２に対してそれぞれ着脱・交換可能であってもよい。
【００２９】
調整した際に、上下位置目盛５９、スライド位置目盛３１、回転位置目盛３２、１２４、１３４、１５０、前後位置目盛４１、目盛１２６、１３６、１４６の値を記録しておくことにより、臨床において、正確かつ容易に歪み、平面のずれ、左右のバランスと大きさ、歯の長さ等の情報を正確に記録・再現することができる。
また、インク部１２１、１３１、１４１によって、歯牙を製作するための三次元の位置情報を模型上に正確に印記することができる。
【００３０】
なお、口角基準アーム１０２が後方端部に備える印記手段は、上記に限定されず、例えば、口角基準アーム１０２が延出部材を１つ、２つ、又は多数備えていてもよい。
また、延出部材の移動方向も水平方向での前後移動や回転移動に限定されない。
【図面の簡単な説明】
【００３１】
【図１】実施形態に係る歯科用咬合器の全体斜視図である。
【図２】上顎クラッチの支持部と口角基準アームとの関係を説明する図である。
【図３】口角基準アームを上方から見た一部透視図である。
【図４】上顎クラッチの使用例を説明する図である。
【図５】口角基準アームの使用例を説明する図である。
【図６】口角と歯牙の関係を説明する図である。
【図７】口角基準アームとジョイントとの関係を説明する図である。
【符号の説明】
【００３２】
１０  歯科用咬合器、２０  下顎フレーム、３０  上顎フレーム、２１  脚部、２２  顆頭球、９１  フェイスボウ、５１  棒状体、８１  上顎クラッチ、８３  バイトフォーク、８７、８８  ジョイント、３１  スライド位置目盛、３２  回転位置目盛、５９  上下位置目盛、７６  後方基準軸、１０２  口角基準アーム、１２２、１２３、１３２、１３３、１４２、１４３  延出部材、１２１、１３１、１４１  インク部
【図１】
0004602932.tif 000002
【図２】
0004602932.tif 000003
【図３】
0004602932.tif 000004
【図４】
0004602932.tif 000005
【図５】
0004602932.tif 000006
【図６】
0004602932.tif 000007
【図７】
0004602932.tif 000008